(57)【要約】      （修正有）【課題】粘着テープを引き出して切断することにより、自動的に前記粘着テープの先端部が折り返され、つまみ状の非接着面が容易にかつ確実に形成することが出来る粘着テープ切断装置を提供する。【解決手段】粘着テープを引き出す方向に順に、粘着テープロール支持体３の端部に粘着テープを仮に粘着保持する第１テープ保持面が形成され、同様に前記粘着テープ１３を仮に粘着保持する第２テープ保持面と、粘着テープを切断するためのカッターとが併設けられ、揺動移動が可能に支持された第２テープ保持部材とを備え、前記粘着テープを介して引張り力を粘着テープロール支持体３に与え、前記粘着テープロール支持体３が移動すると共に、隣接した第２テープ保持部材が相対移動し第１テープ保持面と第２テープ保持面が設定された離間位置に移動する粘着テープ切断装置であって、前記粘着テープロール支持体３は前記第１テープ保持面の近傍で揺動可能に支持する。【選択図】図３
2013049504.tif 000002
【特許請求の範囲】
【請求項１】
粘着テープロールを回転可能に支持し前記粘着テープロールから引き出した粘着テープを仮粘着保持する第１テープ保持面を有する粘着テープロール支持体と、
前記粘着テープロール支持体と係合するとともに前記粘着テープを仮粘着保持する第２テープ保持面と前記粘着テープを切断するカッターとを有する第２テープ保持部材と、
前記粘着テープロール支持体を前記第１テープ保持面の近傍で揺動可能に支持するとともに前記第２テープ保持部材を揺動可能に支持する支持台からなり、
前記粘着テープロール支持体と前記第２テープ保持部材は、前記第１テープ保持面が前記第２テープ保持面に対して隣接した隣接位置と前記粘着テープの引き出し方向に間隔を隔てた離間位置を有し、
前記粘着テープを介した引張り力により前記粘着テープロール支持体が揺動し前記粘着テープロール支持体と前記第２テープ保持部材が前記離間位置となり、
前記引張り力が除去されることにより前記粘着テープロール支持体と前記第２テープ保持部材が前記隣接位置となる粘着テープ切断装置。
【請求項２】
前記粘着テープロール支持体と前記第２テープ保持部材の間の係合手段であって、前記粘着テープロール支持体に凸部を形成し、前記第２テープ保持部材に前記凸部と嵌合する凹部を形成したことを特徴とする請求項１に記載の粘着テープ切断装置。
【請求項３】
前記粘着テープロール支持体と前記第２テープ保持部材の間の係合手段であって、前記第２テープ保持部材に凸部を形成し、前記粘着テープロール支持体に前記凸部と嵌合する凹部を形成したことを特徴とする請求項１に記載の粘着テープ切断装置。
【請求項４】
前記第２テープ保持部材を前記支持台に揺動可能に支持する枢着軸に対して前記第２テープ保持面とは反対側にウエイトを設置したことを特徴とする請求項１に記載の粘着テープ切断装置。
【請求項５】
前記粘着テープロール支持体と前記第２テープ保持部材との間に前記離間位置から前記隣接位置方向に付勢するバネ体を設置したことを特徴とする請求項１に記載の粘着テープ切断装置。
【請求項６】
前記第１テープ保持面と前記第２テープ保持面が前記粘着テープを引き出す方向と垂直方向の面内にて、粘着テープ側に凸状に湾曲していることを特徴とする請求項１から請求項５に記載の粘着テープ切断装置。
【請求項７】
前記粘着テープロール支持体に設けられた前記第１テープ保持面と前記第２テープ保持部材に設けられた前記第２テープ保持面が所定距離だけ相対移動するように、前記粘着テープロール支持体および／又は前記第２テープ保持部材に移動規制手段が設けられていることを特徴とする請求項１から請求項６に記載の粘着テープ切断装置。
【発明の詳細な説明】
【技術分野】
【０００１】
本発明は、回転可能に支持された粘着テープロールの粘着テープを所定長さに引き出して、カッター部によって切断する粘着テープ切断装置に関する。
【背景技術】
【０００２】
従来の粘着テープ切断装置は、ロールに巻かれた状態の粘着テープを回転自在に保持、収容する本体部と、前記粘着テープロールを所要の長さに引き出して切断するカッター部とが一体になっているのが一般的である。
【０００３】
しかしながら、このように切断した粘着テープを目的の部材に貼り付けた場合、粘着テープは全面的にスキマ無く密着されるため、後で粘着テープを剥がそうとするときに容易に剥がすことが困難であった。
【０００４】
この改善策として、前記粘着テープを引き出して切断したとき、切断装置の本体部に残された粘着テープの端部を折り返し、粘着面同士を接着させることにより非接着の折り返し片が形成されるものが開示されている（特許文献１、２）。
【０００５】
これにより、次回使用時には、折り返し片の部分は相手部材に付着しないので、粘着テープを剥がす際にはこの折り返し片を摘むことができ、容易に粘着テープを剥がすことができる。
【０００６】
上述の改善策について、特許文献１に記載の粘着テープ切断装置は、粘着テープの引き出しにより歯車機構でカッター付きの回転子が開動し、粘着テープ切断後はレバーの押し下げで前記回転子を本体部側へ閉動させるという操作が必要であり、単に粘着テープを引き出して切断しただけでは粘着テープの折り返し片が形成されないため、取扱いが煩雑である。
【０００７】
また、特許文献２に記載の粘着テープ切断装置は、粘着テープを引き出して切断するとき、粘着テープの端部を折り返し、粘着面同士を接着させるために粘着テープを仮接着させる第１テープ被粘着部材と第２テープ被粘着部材は、互いに隣り合った隣接位置から粘着テープの引き出し方向に間隔を隔てた離間位置に相対変位させた後、第２テープ被粘着部材に併設されたカッターにより粘着テープを切断する。粘着テープを切断後、第１テープ被粘着部材と第２テープ被粘着部材に仮接着されたままの粘着テープは、前記両テープ被粘着部材は前記隣接位置に変位するため、粘着テープは粘着面を内側にして２つに折られループ状の折り返し片が自動的に形成される。
【０００８】
しかしながら、上記粘着テープ切断装置では、粘着テープを引き出し前記第２テープ被粘着部材に併設されたカッターにより、前記粘着テープを切断する際に、第１テープ被粘着部材が前方に出てくるため、前記離間位置での相対位置を確保するためには、第２テープ被粘着部材の移動量を多くとる必要があり、第２テープ被粘着部材に併設されたカッターが粘着テープを引き出す方向の下方に大きく傾く構成になる。そのため粘着テープを切断するためには、粘着テープ切断装置が置いてある床面に向かって粘着テープを引き出す必要があるため切断し難いばかりでなく、切断後前記粘着テープを引張っていた手が床面に衝突することになる。そのため、前記床面との衝突を避けるため粘着テープの引き出し方向を斜め前下方に引き出し前記カッターにて切断しなくてはならない。このとき、粘着テープを仮粘着する第２テープ保持面に押し付ける面圧が小さく成るため、粘着テープを保持する粘着力が弱くなる。この状況で前記粘着テープを前記カッターにて切断を試みると、粘着テープを切断することが困難になったり、切断出来ても粘着テープの表面が波打った形状になり、前記粘着テープの切断面が荒れ、前記ループ状の折り返し片の形状も綺麗にならない。特に前記粘着テープを長く引き出して使用するときは、もはや片手での操作では不可能になり両手での操作が必須となる。
【０００９】
さらに前記第２テープ被粘着部材を第１テープ被粘着部材の隣接位置に戻す手段として、粘着テープ切断装置本体に設置されたバネなどの付勢力で構成されているため、前記粘着テープを前記第２テープ被粘着部材に併設されたカッタ−にて切断後、前記第２テープ被粘着部材は勢いよく前記隣接位置に戻るため、第１テープ被粘着部材と第２テープ被粘着部材間にある粘着テープが両テープ被粘着部材に挟まれることになりループ状の折り返し片が上手く形成されないことがある。また前記バネなどの付勢力を弱めた構成にすると、特に曲げ剛性の強い粘着テープを使用したときに前記第２テープ被粘着部材が前記第１テープ被粘着部材の隣接位置まで戻り切れないことが発生するため、使用する粘着テープの種類毎に付勢力を調整する必要がある。
【先行技術文献】
【特許文献】
【００１０】
【特許文献１】特開２００１−１９９６１９号公報
【特許文献２】特開平９−２５０４５号公報
【発明の概要】
【発明が解決しようとする課題】
【００１１】
粘着テープを切断後に切断装置の本体部に残された粘着テープの端部に非粘着の折り返し片を形成する上で、煩雑な取扱いをすることなしに、片手で単に粘着テープを引き出して切断するだけで、非粘着の折り返し片を自動的に形成する粘着テープ切断装置であり、しかも粘着テープを切断後に粘着テープを引き出した手を床面にぶつけることなく、また粘着テープの長さも自由に切断することのできる粘着テープ切断装置を提供することである。
【課題を解決するための手段】
【００１２】
本願の請求項１に記載された発明は、粘着テープ１３ロール１２を回転可能に支持し前記粘着テープロール１２から引き出した粘着テープ１３を仮粘着保持する第１テープ保持面５を有する粘着テープロール支持体３と、前記粘着テープロール支持体３と係合するとともに前記粘着テープ１３を仮粘着保持する第２テープ保持面６と前記粘着テープ１３を切断するカッター７とを有する第２テープ保持部材８と、前記粘着テープロール支持体３を前記第１テープ保持面５の近傍で揺動可能に支持するとともに前記第２テープ保持部材８を揺動可能に支持する支持台２からなり、前記粘着テープロール支持体３と前記第２テープ保持部材８は、前記第１テープ保持面５が前記第２テープ保持面６に対して隣接した隣接位置と前記粘着テープ１３の引き出し方向に間隔を隔てた離間位置を有し、前記粘着テープ１３を介した引張り力により前記粘着テープロール支持体３が揺動し前記粘着テープロール支持体３と前記第２テープ保持部材８が前記離間位置となり、前記引張り力が除去されることにより前記粘着テープロール支持体３と前記第２テープ保持部材８が前記隣接位置となる粘着テープ切断装置である。
【００１３】
本願の請求項２に記載された発明は、請求項１に記載の粘着テープ切断装置１において、前記粘着テープロール支持体３と前記第２テープ保持部材８の間の係合手段であって、前記粘着テープロール支持体３に凸部を形成し、前記第２テープ保持部材８に前記凸部と嵌合する凹部が形成されている。
【００１４】
本願の請求項３に記載された発明は、請求項１に記載の粘着テープ切断装置１において、前記粘着テープロール支持体３と前記第２テープ保持部材８の間の係合手段であって、前記第２テープ保持部材８に凸部を形成し、前記粘着テープロール支持体３に前記凸部と嵌合する凹部が形成されている。
【００１５】
本願の請求項４に記載された発明は、請求項１に記載の粘着テープ切断装置１において、前記第２テープ保持部材８を前記支持台２に揺動可能に支持する枢着軸１１に対して前記第２テープ保持面６とは反対側にウエイトを設置している。
【００１６】
本願の請求項５に記載された発明は、請求項１に記載の粘着テープ切断装置１において、前記粘着テープロール支持体３と前記第２テープ保持部材８との間に前記離間位置から前記隣接位置方向に付勢するバネ体を設置している。
【００１７】
本願の請求項６に記載された発明は、請求項１から請求項５に記載の粘着テープ切断装置１において、前記第１テープ保持面５と前記第２テープ保持面６が前記粘着テープ１３を引き出す方向に対して垂直方向の面内にて、粘着テープ１３側に凸状に湾曲している。
【００１８】
本願の請求項７に記載された発明は、請求項１から請求項６に記載の粘着テープ切断装置１において、前記粘着テープロール支持体３に設けられた前記第１テープ保持面５と前記第２テープ保持部材８に設けられた前記第２テープ保持面６が所定距離だけ相対移動するように、前記粘着テープロール支持体３および／又は前記第２テープ保持部材８に移動規制手段が設けられている。
【発明の効果】
【００１９】
前記粘着テープロール支持体３は、前記支持台２に第１テープ保持面５の近傍で揺動可能に支持されているため、前記粘着テープ１３を引き出す引張り力が前記粘着テープロール１２に加わり粘着テープロール支持体３が揺動しても第１テープ保持面５の向きは変化するが、第１テープ保持面５の位置は移動しない。そのため粘着テープロール支持体３の揺動移動に係合した第２テープ保持部材８の前記離間位置への移動量は少なくて済み、第２テープ保持部材８に併設された第２テープ保持面６とカッター７の引き出し量と傾きも少ない。その結果、粘着テープ１３を切断するために粘着テープ切断装置が置いてある床面に向かって粘着テープ１３を引き出す必要がなくなり、切断後の前記粘着テープ１３を引張っていた手が床面に衝突することが避けられる。また切断する粘着テープ１３を仮粘着する第２テープ保持面６への押し付ける面圧も大きく取れるため、粘着テープ１３を保持する粘着力も強くなる。この状況であれば前記粘着テープ１３は前記カッター７にて確実に、しかも綺麗な破断面にて切断することが可能になるため、前記ループ状の折り返し片１４の形状も綺麗に形成される。さらに前記粘着テープ１３を長く引き出して切断することも可能となり、片手での操作で自由な長さの粘着テープ１３を切断可能となる。
【００２０】
また第２テープ保持部材８を第１テープ保持面５の隣接位置に戻す手段として、請求項２と請求項３では、前記粘着テープロール支持体３の揺動移動に係合し、凸部が形成されたアーム２０と凹部を形成する係合反力面２１，２２で構成されているため、前記粘着テープ１３を前記第２テープ保持部材８に併設されたカッター７にて切断後、前記第２テープ保持部材８は前記粘着テープロール支持体３の揺動移動に連動した動きで前記隣接位置に戻るため、第１テープ保持面５と第２テープ保持部材８間にある粘着テープ１３が両テープ保持面に挟まれることなくループ状の折り返し片１４が確実に綺麗に形成される。従って、特許文献２の課題である使用する粘着テープ１３の種類毎に付勢力を調整する必要もない。
【００２１】
また第２テープ保持部材８を第１テープ保持面５の隣接位置に戻す手段として、請求項４では、第２テープ保持部材８を支持台２に揺動可能に支持する枢着軸１１に対して第２テープ保持面６とは反対側にウエイトを設置しているため、前記粘着テープ１３を前記第２テープ保持部材８に併設されたカッター７にて切断後、前記第２テープ保持部材８は前記粘着テープロール支持体３の揺動移動にとともに前記隣接位置に戻るため、第１テープ保持面５と第２テープ保持部材８間にある粘着テープ１３が両テープ保持面に挟まれることなくループ状の折り返し片１４が確実に綺麗に形成される。
【００２２】
本発明によれば、通常の粘着テープ切断装置と同じ大きさで、複雑な機構を構成することなしに、また煩雑な取扱いを必要とせず、片手で単に粘着テープ１３を引き出して切断するだけで、非粘着の折り返し片１４を自動的に形成する粘着テープ切断装置であり、しかも粘着テープ１３を切断後に粘着テープ１３を引き出した手を床面にぶつける心配もなく、また粘着テープ１３の長さも自由に切断し非粘着の折り返し片１４を確実に形成することができる粘着テープ切断装置を提供することができる。
【図面の簡単な説明】
【００２３】
【図１】本発明の粘着テープ切断装置の斜視図（実施例１）
【図２】図１のテープ保持面５と６周りの拡大図
【図３】図１の縦断面図
【図４】図３のアーム２０周りの拡大図
【図５】粘着テープ１３を引き出している状態を示した斜視図（実施例１）
【図６】図５の縦断面図
【図７】粘着テープ１３を引き出しカッター７にて切断直前の状態を示した斜視図（実施例１）
【図８】図７の縦断面図
【図９】図８のテープ保持面５と６周りの拡大図
【図１０】図９の離間位置から隣接位置に戻る途中を示し拡大図
【図１１】図１０の状態から、さらに隣接位置に戻る途中を示し拡大図
【図１２】隣接位置に戻り、ループ状の折り返し片１４が形成された状態を示す拡大図
【図１３】粘着テープ１３を引き出す方向と垂直方向の面内にて、凸状に湾曲しているテープ保持面５と６を示す拡大図
【図１４】実施例２の粘着テープ切断装置の縦断面図
【図１５】図１４に示すＡ−Ａ部の断面図（実施例２）
【図１６】粘着テープ１３を引き出している状態を示した縦断面図（実施例２）
【図１７】粘着テープ１３を引き出しカッター７にて切断直前の状態を示した縦断面図（実施例２）
【図１８】粘着テープ１３を引き出している状態を示した縦断面図（第３実施例）
【発明を実施するための形態】
【００２４】
以下、本発明の実施形態について、添付の図面に基づいて詳細に説明する。なお、各図の説明において同一の要素には同一の符号を付す。
【実施例１】
【００２５】
図１は、本発明の実施例１に関わる粘着テープ切断装置１で、粘着テープ１３を切断後につまみ状の折り返し片１４が形成された状態を示す斜視図である。粘着テープ切断装置１は支持台２と、支持台２に収容され、粘着テープロール１２の内周と嵌合する中心軸付き環体４の支持軸１０を保持する粘着テープロール支持体３と、粘着テープ１３を仮粘着保持する第２テープ保持面６を有する第２テープ保持部材８で構成され、粘着テープロール支持体３には、粘着テープ１３を仮粘着保持する第１テープ保持面５が一体に形成されている。上記粘着テープロール支持体３は支持台２に、第１テープ保持面５の近傍に設けられた枢着軸１１を介して、揺動可能状態にて取り付けられている。また第２テープ保持部材８は同部材の下端に設けられた枢着軸９を介して支持台２に揺動可能に取り付けられている。さらに、第２テープ保持部材８に設けられた第２テープ保持面６の側面には、粘着テープロールの支持軸１０から遠い側にカッター７が併設されている。
【００２６】
図３は、図１で示した粘着テープ切断装置１の縦断面図である。第１テープ保持面５と第２テープ保持面６とは、ほぼ同じ高さの隣接した位置にあり、第２テープ保持部材８は粘着テープロール支持体３の隣接位置に構成されている。粘着テープロール支持体３のリブ部２５の両側面には長孔１６が形成され、長孔１６を通して支持軸１５が支持台２の内側面に取り付けられている。また粘着テープロール支持体３の下端部には凸部を有するアーム２０が形成され、粘着テープロール支持体３の動きを第２テープ保持部材８にアーム２０の凸部と嵌合する凹部を形成する係合反力面２１および係合反力面２２を介して、第２テープ保持部材８の揺動移動を可能にしている。
【００２７】
図５は、粘着テープロール支持体３に設置された粘着テープロール１２の粘着テープ１３を引き出している状態を示す本発明実施例１の斜視図である。図５の縦断面図である図６に示すように、第２テープ保持部材８に形成された係合反力面２１と粘着テープロール支持体３に形成されたアーム２０とが係合している。粘着テープロール１２の粘着テープ１３を引き出すときの引張り力によって、粘着テープロール支持体３は枢着軸１１を中心に揺動し、それに伴って第２テープ保持部材８も枢着軸９を中心に揺動移動する。これにより、第２テープ保持部材８の第２テープ保持面６は枢着軸９を中心に円弧状に移動することになり、第２テープ保持面６は第１テープ保持面５より遠ざかる。さらに粘着テープ１３を引き出すために引張り力を与えても、長孔１６の下端部に支持軸１５が接することにより、粘着テープロール支持体３の揺動が抑制される。
【００２８】
図７は、粘着テープロール支持体３に設置された粘着テープロール１２の粘着テープ１３を引き出し、粘着テープ１３を切断するために第２テープ保持部材８の第２テープ保持面６とカッター７に押し当てている状態を示す本発明実施例１の斜視図である。図７の縦断面図である図８に示すように、第１テープ保持面５と第２テープ保持面６が離間位置にあるときに、粘着テープ１３をカッター７に押し付けて切断するにあたって、粘着テープ１３は第１テープ保持面５と第２テープ保持面６に仮粘着された状態になる。このとき粘着テープ１３が切断されることによって、粘着テープロール１２の粘着テープ１３を引き出すときの引張り力が失われることにより、粘着テープロール支持体３は自重により枢着軸１１を中心に揺動し元の位置に戻る。さらに粘着テープロール支持体３に設けられたアーム２０と係合反力面２２を介して第２テープ保持部材８が揺動移動し、第１テープ保持面５と第２テープ保持面６が接する隣接位置に移動する。テープ保持面５と６との間にある粘着テープがテープ保持面５と６との間に挟まれないようにするために、図９に示すテープ保持面５と６との稜線の交差角αは１８０度以下になるよう構成されている。実際的には粘着テープ１３の剛性と密度との関係により異なるが、余裕のある角度として１４０度程度以下にすれば問題ないことが確かめられている。
【００２９】
図９，図１０，図１１，図１２は、第１テープ保持面５と第２テープ保持面６とが、粘着テープ１３を仮接着させたまま、離間位置から隣接位置に移動するときに、両保持面５と６との間にある粘着テープが両テープ保持面の間隔が近づくに従い、粘着テープ１３の粘着面を内側にして２つに折られ、ループ状の折り返し片１４が形成される様子を示したものである。また両テープ保持面間の粘着テープが垂れ下がらず確実にループ状の折り返し片１４を形成するためには、図１３に示すように第１テープ保持面５と第２テープ保持面６は粘着テープ１３を引き出す方向に対して垂直方向の面内にて、上方側に凸状に湾曲して形成されていればさらに良い。これは粘着テープ１３が長手方向の垂直面にて上方向に凸状に湾曲することによって粘着テープ１３自身の曲げ剛性が高まるため、粘着テープ１３自身の重さによりテープ保持面５とテープ保持面６に仮粘着された状態の間で粘着テープ１３が垂れ下がることを防いでいる。
【００３０】
本実施例によれば、単に粘着テープ１３を引き出してカッター７にて切断するだけで、支持台２に枢着された粘着テープロール支持体３が、粘着テープ１３を引き出すときの引張り力で揺動移動し、それにより粘着テープロール支持体３に設けられたアーム２０と第２テープ保持部材８に設けられた係合反力面２１を介して第２テープ保持部材８が揺動移動し、第１テープ保持面５と第２テープ保持面６が遠ざかった離間位置に移動する。この離間位置にて、粘着テープ１３をカッター７にて切断する。粘着テープ１３が切断されると、粘着テープロール支持体３を引き起こしていた引張り力が失われるため、粘着テープロール支持体３は支持台２の初期位置まで自重により揺動移動して戻り、粘着テープロール支持体３と第２テープ保持部材８が係合されているため、第１テープ保持面５と第２テープ保持面６とが、粘着テープ１３を仮接着させたまま、離間位置から隣接位置に移動する。その結果、粘着テープ切断装置１に残された粘着テープ１３の端部に折り返し片１４が形成されるので、再度粘着テープ１３を引き出して、必要な長さにて切断し相手部材に貼っても、粘着テープ１３には非粘着の折り返し片１４が形成されているため、容易に粘着テープ１３を剥がすことができる。
【実施例２】
【００３１】
図１４は、本発明の実施例２に関わる粘着テープ切断装置１で、粘着テープ３を切断後につまみ状の折り返し片１４が形成された状態を示す縦断面図である。粘着テープ切断装置１は支持台２と、支持台２に収容され、粘着テープロール１２の内周と嵌合する中心軸付き環体４の支持軸１０を保持する粘着テープロール支持体３と、粘着テープ１３を仮粘着保持する第２テープ保持面６を有する第２テープ保持部材８で構成され、粘着テープロール支持体３には、粘着テープ１３を仮粘着保持する第１テープ保持面５が一体に形成されている。上記粘着テープロール支持体３は支持台２に、第１テープ保持面５の近傍に設けられた枢着軸１１を介して、揺動可能状態にて取り付けられている。また第２テープ保持部材８は同部材の下端に設けられた枢着軸９を介して支持台２に揺動可能に取り付けられている。さらに、第２テープ保持部材８に設けられた第２テープ保持面６の側面には、粘着テープロールの支持軸１０から遠い側にカッター７が併設されている。
【００３２】
第１テープ保持面５と第２テープ保持面６とは、ほぼ同じ高さの隣接した位置にあり、第２テープ保持部材８は粘着テープロール支持体３の隣接位置に構成されている。粘着テープロール支持体３の枢着軸１１を介した揺動移動を抑制するための移動抑制突起部２３と２４とが、支持台２の内側面に形成されている。図１４のＡ−Ａ部の断面を図１５に示す。第２テープ保持部材８の下端部には凸部を有するアーム２０が形成され、粘着テープロール支持体３の動きをテープロール支持体３にアーム２０の凸部と嵌合する凹部を形成する係合反力面２１を介して、第２テープ保持部材８の揺動移動を可能にしている。
【００３３】
図１６は、粘着テープロール支持体３に設置された粘着テープロール１２の粘着テープ１３を引き出している状態を示す本発明の実施例２の縦断面図である。粘着テープロール１２の粘着テープ１３を引き出すときの引張り力によって、粘着テープロール支持体３は枢着軸１１を中心に揺動し、それに伴って第２テープ保持部材８も枢着軸９を中心に揺動移動する。これにより、第２テープ保持部材８の第２テープ保持面６は枢着軸９を中心に円弧状に移動することになり、第２テープ保持面６は第１テープ保持面５より遠ざかる。更に、粘着テープ１３を引き出すために引張り力を与えても、粘着テープロール支持体３のリブ部２５の上端が移動抑制突起部２４に接することにより、粘着テープロール支持体３の揺動が抑制される。
【００３４】
図１７は、粘着テープロール支持体３に設置された粘着テープロール１２の粘着テープ１３を引き出し切断するために第２テープ保持部材８の第２テープ保持面６とカッター７に押し当てている状態を示す本発明の実施例２の縦断面図である。第１テープ保持面５と第２テープ保持面６が離間位置にあるときに、粘着テープ１３をカッター７に押し付けて切断するにあたって、粘着テープ１３は第１テープ保持面５と第２テープ保持面６に仮粘着された状態になる。このとき粘着テープ１３が切断されることによって、粘着テープロール１２の粘着テープ１３を引き出すときの引張り力が失われることにより、粘着テープロール支持体３は自重により枢着軸１１を中心に揺動し元の位置に戻る。また第２テープ保持部材８は、第２テープ保持部材８のアーム２０に設置されたウエイト２６により第２テープ保持部材８が枢着軸１１を中心に揺動移動し、第１テープ保持面５と第２テープ保持面６が接する隣接位置に移動する。ここで、テープ保持面５と６との間にある粘着テープがテープ保持面５と６との間に挟まれないようにするためには、実施例１で示した構成と同様であるので、ここでは省略する。
【００３５】
本実施例によれば、実施例１と同様に単に粘着テープ１３を引き出してカッター７にて切断するだけで、粘着テープ切断装置１に残された粘着テープ１３の端部に折り返し片１４が形成されるので、再度粘着テープ１３を引き出して、必要な長さにて切断し相手部材に貼っても、粘着テープ１３には非粘着の折り返し片１４が形成されているため、容易に粘着テープ１３を剥がすことができる。
【実施例３】
【００３６】
図１８は、本発明の実施例３に関わる粘着テープ切断装置１で、粘着テープロール支持体３に設置された粘着テープロール１２の粘着テープ１３を引き出し切断するために第２テープ保持部材８の第２テープ保持面６とカッター７に押し当てている状態を示す縦断面図である。実施例２の図１７で示した様に、粘着テープ１３をカッター７に押し付けて切断することによって、粘着テープロール１２の粘着テープ１３を引き出すときの引張り力が失われることにより、粘着テープロール支持体３は自重により枢着軸１１を中心に揺動し元の位置に戻る。また第２テープ保持部材８は、粘着テープロール支持体３との間に付勢されたバネ体により第２テープ保持部材８が枢着軸９を介して揺動移動し、第１テープ保持面５と第２テープ保持面６が接する隣接位置に移動する。これにより、テープ保持面５と６との間にある粘着テープは非粘着の折り返し片１４を形成する。
【００３７】
本実施例によれば、実施例１と同様に単に粘着テープ１３を引き出してカッター７にて切断するだけで、粘着テープ切断装置１に残された粘着テープ１３の端部に折り返し片１４が形成されるので、再度粘着テープ１３を引き出して、必要な長さにて切断し相手部材に貼っても、粘着テープ１３には非粘着の折り返し片１４が形成されているため、容易に粘着テープ１３を剥がすことができる。
【産業上の利用可能性】
【００３８】
本発明の粘着テープ切断装置は、粘着テープを粘着テープロールから引き出し、カッター部で切断するだけで自動的に非粘着の摘み部が形成されるので、取扱いが非常に簡単である。本発明の粘着テープ切断装置を使用し商品の包装やラッピングをすれば、同商品の包装やラッピングを開梱する際のテープ部の剥がし作業が著しく短縮され、開梱する側のお客に対する優しい心遣いを込めることが出来るので、数多くの業種にも適応可能である。
【符号の説明】
【００３９】
１  粘着テープ切断装置
２  支持台
３  粘着テープロール支持体
４  環体
５  第１テープ保持面
６  第２テープ保持面
７  カッター
８  第２テープ保持部材
９  枢着軸
１０  環体４の支持軸
１１  枢着軸
１２  粘着テープロール
１３  粘着テープ
１４  折り返し片
１５  支持軸
１６  長孔
２０  アーム
２１  係合反力面
２２  係合反力面
２３  移動抑制突起部
２４  移動抑制突起部
２５  粘着テープロール支持体のリブ部
２６  ウエイト
２７  バネ材
【図１】
2013049504.tif 000003
【図２】
2013049504.tif 000004
【図３】
2013049504.tif 000005
【図４】
2013049504.tif 000006
【図５】
2013049504.tif 000007
【図６】
2013049504.tif 000008
【図７】
2013049504.tif 000009
【図８】
2013049504.tif 000010
【図９】
2013049504.tif 000011
【図１０】
2013049504.tif 000012
【図１１】
2013049504.tif 000013
【図１２】
2013049504.tif 000014
【図１３】
2013049504.tif 000015
【図１４】
2013049504.tif 000016
【図１５】
2013049504.tif 000017
【図１６】
2013049504.tif 000018
【図１７】
2013049504.tif 000019
【図１８】
2013049504.tif 000020